(57)【要約】【課題】放送番組表上で視聴済み番組や見逃し番組の再放送番組等をユーザが判別しやすく、且つ再放送番組の自動録画を可能とした放送番組表サービスシステムのユーザ端末及び放送番組自動録画プログラムの提供。【解決手段】登録ユーザはユーザ端末２から随時サイトにリンクして放送番組表を閲覧し、視聴済み番組のチェック、見逃し番組のチェックを行うことにより視聴済み番組、その同一番組、見逃し番組、再放送番組の表示態様を変更して他の番組と区別表示し、ユーザが番組欄を見やすいようにする。また、ユーザ端末２は高速アクセス可能な大容量メモリを備え、再放送番組情報を放送番組表の番組データから取得し、再放送時間が到来すると自動的に選局を行い、再放送番組を受信してメモリに録画する。【選択図】　図１
2004128621.tif 000002
【特許請求の範囲】
【請求項１】
ネットワークを介してユーザ端末とサービス提供者のサーバが接続される番組表サービスシステムにおけるユーザ端末であって、
前記サーバから受信する個人別番組表データを基に放送番組表を表示する番組表表示手段と、
前記番組表表示手段によって表示された放送番組表のなかでユーザが視聴した放送番組及び／又は見逃し番組を指定する番組指定手段と、
前記番組指定手段による番組指定結果を前記サーバに送信する番組指定結果送信手段と、
前記サーバから受信する情報に基いて、前記番組表表示手段によって表示される放送番組表のなかの番組のうち、視聴済み番組又は見逃し番組の表示態様を番組の種類に応じて他の番組とは弁別可能に変更する表示態様変更手段と、
高速アクセス可能な大容量のメモリと、
録画指定手段により録画が指定されたとき、前記表示態様変更手段によって表示態様が変更された放送番組表の番組データから録画する放送番組の放送日時及びチャンネル情報を取得する放送番組情報取得手段と、
前記放送番組情報取得手段によって取得された放送番組の放送日時が到来したとき、該放送番組のチャンネル情報を基に選局を行う選局手段と、
前記選局手段によって選局された放送番組を受信する放送番組受信手段と、
前記放送番組受信手段によって受信された放送番組を前記メモリに記憶する放送番組記憶手段と、
を備えたことを特徴とする番組表サービスシステムのユーザ端末。
【請求項２】
ネットワークを介してユーザ端末とサービス提供者のサーバが接続される番組表サービスシステムにおけるユーザ端末であって、
前記サーバから受信する個人別番組表データを基に放送番組表を表示する番組表表示手段と、
前記番組表表示手段によって表示された放送番組表のなかでユーザが視聴した放送番組及び／又は見逃し番組を指定する番組指定手段と、
前記番組指定手段による指定結果を前記サーバに送信する番組指定結果送信手段と、
前記番組表表示手段によって表示される放送番組表のなかの番組のうち、視聴済み番組又は見逃し番組表示態様を番組の種類に応じて他の番組とは弁別可能に変更する表示態様変更手段と、
高速アクセス可能な大容量のメモリと、
録画指定手段により録画が指定されたとき、前記表示態様変更手段によって表示態様が変更された放送番組表の番組データから録画する放送番組の放送日時及びチャンネル情報を取得する放送番組情報取得手段と、
前記放送番組情報取得手段によって取得された放送番組の放送日時が到来したとき、該放送番組のチャンネル情報を基に選局を行う選局手段と、
前記選局手段によって選局された放送番組を受信する放送番組受信手段と、
前記放送番組受信手段によって受信された放送番組を前記メモリに記憶する放送番組記憶手段と、
を備えたことを特徴とする番組表サービスシステムのユーザ端末。
【請求項３】
前記再放送番組情報取得手段は、前記録画指定手段により見逃し番組の再放送番組の録画が指定されたとき、前記サーバから受信した個人別番組表データから見逃し番組として指定した番組の再放送番組の放送日時及びチャンネル情報を取得する手段を含むことを特徴とする請求項１又は２記載の番組表サービスシステムのユーザ端末。
【請求項４】
前記メモリに記憶された放送番組の再生又は削除を指示する録画再生／削除指示手段を備えたことを特徴とする請求項１又は２記載の番組表サービスシステムのユーザ端末。
【請求項５】
前記ユーザ端末はハードディスクレコーダであることを特徴とする請求項１記載の番組表サービスシステムのユーザ端末。
【請求項６】
前記ユーザ端末はパーソナルコンピュータであることを特徴とする請求項１又は２記載の番組表サービスシステムのユーザ端末。
【請求項７】
ネットワークを介してユーザ端末とサービス提供者のサーバが接続される番組表サービスシステムにおいて、前記ユーザ端末で実行可能なプログラムであって、
前記サーバから個人別番組表データを受信させるステップと、
前記受信した個人別番組表データを基に放送番組表を表示させるステップと、
前記表示した放送番組表のなかでユーザが視聴した放送番組及び／又は見逃し番組を指定させるステップと、
前記指定結果を前記サーバに送信させるステップと、
前記サーバから、前記ユーザ端末から送信した情報を基に放送番組を判定した放送番組判定結果を受信させるステップと、
前記受信した放送番組判定結果に基いて、前記番組表表示手段によって表示される放送番組表のなかの番組のうち、視聴済み番組又は見逃し番組の表示態様を番組の種類に応じて他の番組とは弁別可能に変更させるステップと、
録画方法が指定されたとき、表示態様が変更された放送番組表の番組データから録画する放送番組の放送日時及びチャンネル情報を取得させるステップと、
前記録画する再放送番組の放送日時が到来したとき、該再放送番組を受信させるステップと、
前記受信した再放送番組をメモリに記憶させるステップと、
を備えたことを特徴とする放送番組自動録画プログラム。
【請求項８】
ネットワークを介してユーザ端末とサービス提供者のサーバが接続される番組表サービスシステムにおいて、前記ユーザ端末で実行可能なプログラムであって、
前記サーバから個人別番組表データを受信させるステップと、
前記受信した個人別番組表データを基に放送番組表を表示させるステップと、
前記表示した放送番組表のなかでユーザが視聴した放送番組及び／又は見逃し番組を指定させるステップと、
前記指定結果を前記サーバに送信させるステップと、
前記表示される放送番組表のなかの番組のうち、視聴済み番組又は見逃し番組の表示態様を番組の種類に応じて他の番組とは弁別可能に変更させるステップと、
録画が指定されたとき、表示態様が変更された放送番組表の番組データから録画する放送番組の放送日時及びチャンネル情報を取得させるステップと、
前記録画する再放送番組の放送日時が到来したとき、該再放送番組を受信させるステップと、
前記受信した再放送番組をメモリに記憶させるステップと、
を備えたことを特徴とする放送番組自動録画プログラム。
【請求項９】
ネットワークを介してユーザ端末とサービス提供者のサーバが接続される番組表サービスシステムにおける録画方法であって、
前記サーバから番組表データを受信するステップと、
前記受信した番組表データを基に放送番組表を表示するステップと、
前記表示した放送番組表のなかでユーザが見逃した番組を指定するステップと、前記指定結果を前記サーバに送信するステップと、
前記表示される放送番組表のなかの番組のうち、見逃し番組の表示態様を他の番組とは弁別可能に変更するステップと、
録画が指定されたとき、前記表示態様が変更された放送番組表の番組データから録画する放送番組の放送日時及びチャンネル情報を取得するステップと、
前記録画する再放送番組の放送日時が到来したとき、該再放送番組を受信するステップと、
前記受信した再放送番組をメモリに記憶するステップと、
を備えたことを特徴とする録画方法。
【発明の詳細な説明】
【０００１】
【発明の属する技術分野】
本発明は、個人別にテレビジョン（以下、テレビと記す）番組やラジオ番組等の放送番組を編集してユーザ端末上に表示する番組表サービスシステムで用いるユーザ端末に関し、特に、視聴済みの番組や見逃した番組の表示態様を変更すると共に、再放送番組を自動的に録画し得るユーザ端末に関する。
【０００２】
【従来の技術】
テレビ番組やラジオ番組等の放送番組を視聴するには、新聞、雑誌の番組欄を見たり、インターネットで放送番組を提供しているウェブ（Ｗｅｂ）ページを閲覧して希望する番組を探し出してテレビやラジオのチャンネル合わせを行ったりしている。また、ＢＳデジタル放送等ではテレビで最新の番組を見ることができるＥＰＧ（電子番組表）機能により、テレビ番組をみることができる（例えば、特許文献１）。
【０００３】
また、視聴者が自分の好みのテレビ番組を視聴するだけで自分に必要なキーワードを選別して取り出すことができる嗜好情報選択装置（例えば、特許文献２）や、視聴者が自分の好みのテレビ番組を視聴するだけで視聴者の視聴傾向を学習し、視聴可能性の高い番組を自動的に録画予約する自動録画方法（例えば、特許文献３）がある。
【０００４】
また、視聴者が過去に視聴した嗜好番組に対応して、視聴者が要求したタイミングで適切な番組を選択してお勧め番組としてチャンネルを切替える番組推薦装置（例えば、特許文献４、特許文献５）がある。
【０００５】
また、見逃した番組を視聴者の過去の視聴傾向から推測して当該使用者にその旨をメールや画面表示で知らせると共に、見逃した番組の再放送予定を知らせる放送サービス案内（特許文献６、特許文献７）がある。
また、受信した番組の映像と、過去に受信し、記憶した映像とを比較し、連続番組や再放送番組を自動検索し、ユーザに通知して見逃し番組を防止する受信装
置（特許文献８）がある。
【０００６】
また、大容量のハードディスクを内蔵し、映像と音声をデジタル信号に変換してハードディスクに記録し、再生するハードディスクビデオレコーダ（例えば、非特許文献１）やパーソナルコンピュータが市販されている（例えば、非特許文献２）。
【０００７】
【特許文献１】
特開２００１−２８５７４１号公報
【特許文献２】
特開平１１−１３４３４５号公報
【特許文献３】
特開平１１−３４５４４６号公報
【特許文献４】
特開２０００−１０１９４１号公報
【特許文献５】
特開２００１−２７５０４８号公報
【特許文献６】
特開平１１−８８２８０号公報
【特許文献７】
特開２００１−７７７７１号公報
【特許文献８】
特開２００１−１８６４３２号公報
【非特許文献１】
ハードディスクレコーダ、［平成１４年８月２２日検索］、インターネット、＜ＵＲＬ：ｈｔｔｐ：／／ｄｙｎａｂｏｏｋ．ｃｏｍ／ｐｃ／ｃａｔａｌｏｇ／ｗｈｍｓ／０２０５２０ｔ１／ｈｄｄｒｅｃ．ｈｔｍ＞
【非特許文献２】
パーソナルコンピュータ、［平成１４年８月２２日検索］、インターネット、＜ＵＲＬ：ｈｔｔｐ：／／ｗｗｗ．ｓｏｎｙ．ｊｐ／ｐｒｏｄｕｃｔｓ／Ｃｏｎｓｕｍｅｒ／ＰＣＯＭ／ＰＣＶ−ＲＸ７６／＞
【０００８】
【発明が解決しようとする課題】
近年ＢＳ、ＣＳ放送やケーブルテレビ放送など、数多くの放送番組が放送されるようになり、番組によっては違うチャンネルを使って再放送や同時放送などを行っているので、再放送や同時放送の放送時間やチャンネル等の情報を新聞や雑誌等の番組欄から得ようとすると同じ日に再放送があった場合でも掲載面が異なっているような場合には見逃してしまったりする場合があった。従って、再放送が異なる日に行われる場合には見逃す可能性がより高くなるといった問題点がある。また、見たい番組の再放送があっても知らない場合があるといった問題点や、一度見た番組でもタイトルを見ただけでは見たかどうかの判断がしにくいといった問題点もあった。
【０００９】
また、いわゆるビデオレコーダでは録画したいテレビ番組の予約操作を行っておけば自動的に録画が行われる予約録画機能を備えているものが大部分であるが、見逃した番組の再放送番組を自動的に録画する機能を備えていないので、ユーザ自身が再放送番組の有無や放送時間やチャンネル等の情報を新聞や雑誌等の番組欄から得て予約操作を行う必要があるが、上述した問題点のように再放送番組を見逃す可能性が高いので見逃した番組の再放送番組の予約録画はユーザにとって容易ではないといった問題点もあった。
【００１０】
ここで、上記特許文献１に開示の技術ではネットワーク上に存在する番組表を基に個人別番組表を編集し、自動チャンネル切替えを行うことができるが、番組変更や、番組の再放送日時やチャンネルを見やすく編集した番組表については開示されていないし、見逃した番組の再放送番組の自動録画技術についても開示されていない。
【００１１】
また、上記特許文献２、３、４、５に開示の技術では、視聴者が視聴した過去の番組情報から視聴可能性の高い番組を自動的に選択できるが、番組変更や、番組の再放送日時やチャンネルを見やすく編集した番組表については開示されていないし、見逃した番組の再放送番組の自動録画技術についても開示されておらず、上記問題点は解消されていない。
【００１２】
また、上記特許文献６、７に開示の技術では、視聴者が過去に視聴した番組から推測して見逃した番組の再放送予定を知らせるが、新番組や過去には視聴しなかったが見たかった番組の再放送番組を知らせることはできないといった問題点があり、更に、番組変更や、番組の再放送日時やチャンネルを見やすく編集した番組表については開示されていない。
【００１３】
また、特許文献８に開示の技術では受信した番組と、記憶した映像とを比較し、連続番組や再放送番組を自動検索することはできるが、新番組や過去には視聴しなかったが見たかった番組の連続番組や再放送番組を検索することができないので見逃し番組が生ずるといった問題点があり、更に、番組変更や、番組の再放送日時やチャンネルを見やすく編集した番組表については開示されていないし、見逃した番組の再放送番組の自動録画技術についても開示されておらず、上記問題点は解消されていない。
【００１４】
本発明は、上記問題点の解決のためになされたものであり、放送番組表上で視聴済み番組や見逃し番組の再放送番組等をユーザが判別しやすく、且つ再放送番組の自動録画を可能とした放送番組表サービスシステムのユーザ端末及び放送番組自動録画プログラムの提供を目的とする。
【００１５】
【課題を解決するための手段】
上記課題を解決するために、第１の発明の番組表サービスシステムのユーザ端末は、ネットワークを介してユーザ端末とサービス提供者のサーバが接続される番組表サービスシステムにおけるユーザ端末であって、サーバから受信する個人別番組表データを基に放送番組表を表示する番組表表示手段と、番組表表示手段によって表示された放送番組表のなかでユーザが視聴した放送番組及び／又は見逃し番組を指定する番組指定手段と、番組指定手段による番組指定結果をサーバに送信する番組指定結果送信手段と、サーバから受信する情報に基いて、番組表表示手段によって表示される放送番組表のなかの番組のうち、視聴済み番組又は見逃し番組の表示態様を番組の種類に応じて他の番組とは弁別可能に変更する表示態様変更手段と、高速アクセス可能な大容量のメモリと、録画指定手段により録画が指定されたとき、表示態様変更手段によって表示態様が変更された放送番組表の番組データから録画する放送番組の放送日時及びチャンネル情報を取得する放送番組情報取得手段と、放送番組情報取得手段によって取得された放送番組の放送日時が到来したとき、該放送番組のチャンネル情報を基に選局を行う選局手段と、選局手段によって選局された放送番組を受信する放送番組受信手段と、放送番組受信手段によって受信された放送番組をメモリに記憶する放送番組記憶手段と、を備えたことを特徴とする。
【００１６】
また、第２の発明の番組表サービスシステムのユーザ端末は、ネットワークを介してユーザ端末とサービス提供者のサーバが接続される番組表サービスシステムにおけるユーザ端末であって、サーバから受信する個人別番組表データを基に放送番組表を表示する番組表表示手段と、番組表表示手段によって表示された放送番組表のなかでユーザが視聴した放送番組及び／又は見逃し番組を指定する番組指定手段と、番組指定手段による指定結果をサーバに送信する番組指定結果送信手段と、番組表表示手段によって表示される放送番組表のなかの番組のうち、視聴済み番組又は見逃し番組表示態様を番組の種類に応じて他の番組とは弁別可能に変更する表示態様変更手段と、高速アクセス可能な大容量のメモリと、録画指定手段により録画が指定されたとき、表示態様変更手段によって表示態様が変更された放送番組表の番組データから録画する放送番組の放送日時及びチャンネル情報を取得する放送番組情報取得手段と、放送番組情報取得手段によって取得された放送番組の放送日時が到来したとき、該放送番組のチャンネル情報を基に選局を行う選局手段と、選局手段によって選局された放送番組を受信する放送番組受信手段と、放送番組受信手段によって受信された放送番組をメモリに記憶する放送番組記憶手段と、を備えたことを特徴とする。
【００１７】
また、第３の発明は上記第１又は第２の発明の番組表サービスシステムのユーザ端末において、再放送番組情報取得手段は、録画指定手段により見逃し番組の再放送番組の録画が指定されたとき、サーバから受信した個人別番組表データから見逃し番組として指定した番組の再放送番組の放送日時及びチャンネル情報を取得する手段を含むことを特徴とする。
【００１８】
また、第４の発明は上記第１又は第２の発明の番組表サービスシステムのユーザ端末において、メモリに記憶された放送番組の再生又は削除を指示する録画再生／削除指示手段を備えたことを特徴とする。
【００１９】
また、第５の発明は上記第１の発明の番組表サービスシステムのユーザ端末において、ユーザ端末はハードディスクレコーダであることを特徴とする。
【００２０】
また、第６の発明は上記第１又は第２の発明の番組表サービスシステムのユーザ端末において、ユーザ端末はパーソナルコンピュータであることを特徴とする。
【００２１】
また、第７の発明の放送番組自動録画プログラムは、ネットワークを介してユーザ端末とサービス提供者のサーバが接続される番組表サービスシステムにおいて、ユーザ端末で実行可能なプログラムであって、サーバから個人別番組表データを受信させるステップと、受信した個人別番組表データを基に放送番組表を表示させるステップと、表示した放送番組表のなかでユーザが視聴した放送番組及び／又は見逃し番組を指定させるステップと、指定結果をサーバに送信させるステップと、サーバから、ユーザ端末から送信した情報を基に放送番組を判定した放送番組判定結果を受信させるステップと、受信した放送番組判定結果に基いて、番組表表示手段によって表示される放送番組表のなかの番組のうち、視聴済み番組又は見逃し番組の表示態様を番組の種類に応じて他の番組とは弁別可能に変更させるステップと、録画方法が指定されたとき、表示態様が変更された放送番組表の番組データから録画する放送番組の放送日時及びチャンネル情報を取得させるステップと、録画する再放送番組の放送日時が到来したとき、該再放送番組を受信させるステップと、受信した再放送番組をメモリに記憶させるステップと、を備えたことを特徴とする。
【００２２】
また、第８の発明の放送番組自動録画プログラムは、ネットワークを介してユーザ端末とサービス提供者のサーバが接続される番組表サービスシステムにおいて、ユーザ端末で実行可能なプログラムであって、サーバから個人別番組表データを受信させるステップと、受信した個人別番組表データを基に放送番組表を表示させるステップと、表示した放送番組表のなかでユーザが視聴した放送番組及び／又は見逃し番組を指定させステップと、指定結果をサーバに送信させるステップと、表示される放送番組表のなかの番組のうち、視聴済み番組又は見逃し番組の表示態様を番組の種類に応じて他の番組とは弁別可能に変更させるステップと、録画が指定されたとき、表示態様が変更された放送番組表の番組データから録画する放送番組の放送日時及びチャンネル情報を取得させステップと、録画する再放送番組の放送日時が到来したとき、該再放送番組を受信させるステップと、受信した再放送番組をメモリに記憶させるステップと、を備えたことを特徴とする。
【００２３】
また、第９の発明の録画方法は、ネットワークを介してユーザ端末とサービス提供者のサーバが接続される番組表サービスシステムにおける録画方法であって、サーバから番組表データを受信するステップと、受信した番組表データを基に放送番組表を表示するステップと、表示した放送番組表のなかでユーザが見逃した番組を指定するステップと、指定結果をサーバに送信するステップと、表示される放送番組表のなかの番組のうち、見逃し番組の表示態様を他の番組とは弁別可能に変更するステップと、録画が指定されたとき、表示態様が変更された放送番組表の番組データから録画する放送番組の放送日時及びチャンネル情報を取得するステップと、録画する再放送番組の放送日時が到来したとき、該再放送番組を受信するステップと、受信した再放送番組をメモリに記憶するステップと、
を備えたことを特徴とする。
【００２４】
【発明の実施の形態】
図１は本発明の個人別番組表サービスシステムを適用可能なネットワーク構成の一実施例を示す図であり、個人別番組表サービスシステムは個人別番組表サービスを行うサービス事業者（以下、番組表サービス事業者）によって運営されるサーバ１と、個人別番組表サービスシステムのユーザの端末２−１、２−１、２−３、・・（以下、単に、端末２と記す）と、サーバ１及び端末２と接続するインターネット３とから構成されている。また、符号４はテレビ放送局（複数）を、符号５は放送事業者（テレビ放送、ＢＳ放送、ＣＳ放送、ケーブルテレビ放送、ラジオ放送等の放送事業者）を意味する。
【００２５】
また、番組表サービス事業者は、複数の放送事業者５からインターネット３又は他の通信回線、あるいはファックス又は電話等の通信手段により各チャンネル別の番組データを得てサーバ１に定期的又は随時登録する。
【００２６】
登録ユーザは端末２を起動することによりサーバ１に接続してユーザが選択した番組情報を閲覧し、視聴済み番組の確認、再放送番組のチャンネルおよび再放送日時の確認や見逃し番組の確認及び見たい番組の選択・指定や再放送番組等の自動録画を行うことができる。この際、サーバ１は再放送番組や見逃した番組の表示態様を自動的に変更して他の番組と弁別可能に表示し、ユーザが見やすいようにする。
また、サーバ１はユーザが見た番組や見ない番組を自動的に集計し、視聴データとして放送事業者５に提供可能とする。
【００２７】
番組表サービス事業者は、登録ユーザの利用頻度に応じて課金することができる。なお、ユーザに対する番組情報の提供と放送事業者５への視聴データの提供の見返りに放送事業者５から収入を得ることもできる。この場合、ユーザに対する課金を行わないようにしてもよい。ユーザに対して課金を行う場合は、サーバ１はユーザ別に利用状況をカウントして蓄積し、定期的に請求額の計算等を可能とするように構成される。
【００２８】
図２は個人別番組表サービスサーバ（以下、単に、サーバと記す）の構成例を示すブロック図であり、サーバ１は通信制御部１１、ＣＰＵ（又はＭＰＵ）１２、ＲＡＭ１３及びデータベース１４を備え、インターネット３と接続して登録ユーザに対し個人別番組表サービスを提供する。
【００２９】
通信制御部１１はインターネット３を介して登録ユーザの端末２との通信プロトコルの確立、端末２から送信される各種データの受信、端末２に対する各種データの送信等の制御を行う。
【００３０】
ＣＰＵ１２はサーバ１全体の動作を制御すると共に、ＲＡＭ１３に駐在する制御プログラム及び各種個人別番組表サービス用プログラムにしたがって個人別番組表サービス処理を実行する。
【００３１】
ＲＡＭ１３は、制御プログラム１３０及び各種個人別番組表サービス用プログラム、例えば、放送事業者５から提供される番組データでデータベース１４の番組表データ１４１を更新する番組更新プログラム１３１、ユーザ登録／認証プログラム１３２、番組表送信プログラム１３３、個人別番組表更新プログラム１３４、再放送番組の一覧表を作成し、表示する一覧表作成プログラム１３５及び集計表作成プログラム１３６と個人別番組表サービス処理のため一時記憶する各種データ等を駐在させている。
【００３２】
なお、後述する第１の実施の形態の場合は端末２から送信されるチェック済み番組（＝放送番組情報）と端末に送信した個人別番組表中の番組の同一性を判定し、判定結果を端末宛て送信する番組判定プログラム１３７も駐在させている。
【００３３】
データベース１４は磁気ディスク等の大容量のメモリからなり、番組登録プログラムによって各放送局からの番組を整理しチャンネル別・日時別に編集された番組表データ１４１と、個人別番組表更新プログラムを基にユーザにより選択・指定された番組や再放送番組等を他の番組とは差別可能に編集した個人別番組表データファイル１４２と、個人別番組表サービスの登録ユーザの個人情報や認証用データを登録した個人情報データファイル１４３と、番組視聴頻度や関心度を集計した集計データ１４４と、制御プログラム１３０及び各種個人別番組表サービス用プログラム等のプログラム群１４５と、個人別番組表サービスのＷｅｂページ用ＨＴＭＬファイル１４６等を検索可能に構成してなる。
【００３４】
＜第１の実施の形態＞
図３は図１のネットワーク１００で個人別番組表サービスを受ける端末２の一構成例を示すブロック図である。
本実施の形態では端末２は非特許文献１に記載のハードディスクビデオレコーダのように大容量で高速アクセス可能なハードディスクを内蔵し、映像と音声をデジタル信号に変換してハードディスクに記録する機能を有しているハードディスクビデオレコーダ２０と符号３５で示されるテレビ受信装置とをケーブルで接続してなる。
【００３５】
図３で、ハードディスクビデオレコーダ２０は、データ送受信部２１、番組表表示制御部２２、表示切替部２３、番組指定部２４、録画方法指定部２５、番組記憶制御部２６、記憶部２７、画像縮小部２８、再生／削除指示部２９、再生部３０、放送番組受信部３１及び表示部３２を備えている。
【００３６】
データ送受信部２１は端末２が起動されると、サーバ１との接続を確立し、インターネット３を介してサーバ１とのデータ授受を行う。なお、接続確立直後に記憶部２７に記憶されている認証データをサーバ１に送信する。
【００３７】
番組表表示制御部２２はサーバ１から受信する番組表の編集及び番組指定部２４で指定された視聴済み番組や、視聴済み番組の同一番組（例えば、連続ドラマ等の連続番組）及び見逃し番組として指定された番組の再放送番組の表示態様（以下、視聴済み番組や見逃し番組の表示態様と記す）の変更を行う。なお、本実施の形態では表示態様の変更方法として番組の表示色を変更しているがこれに限定されない。
【００３８】
表示切替部２３は表示切替操作用のキーボードやボタン等のキーを備えており、ユーザが表示切替え指示部２３のキーを操作して表示部３２の画面表示切替え指示を行うと、画面表示を放送番組表画面、サムネイル画像画面、録画方法指定画面、又は放送番組再生画面のいずれかに切替える。
【００３９】
番組指定部２４は番組指定用のキーボードやボタン等のキーを備えており、ユーザは番組指定部２３のキーを操作して表示部３２に表示される番組表のうち、視聴済み番組や見逃し番組の指定を行うことができる。
【００４０】
録画方法指定部２５は録画方法の指定用のキーボードやボタン等のキーを備えており、ユーザは録画方法指定部２５のキーを操作して録画方法指定画面に表示されるメニューを選択すると、録画方法が指定される。本実施の形態では、ユーザは録画方法として、▲１▼「全再放送番組の録画」、▲２▼「見逃し番組の再放送番組の録画」、▲３▼「録画予約」、▲４▼「視聴番組の録画」のいずれかを指定することができる（但し、録画方法は上記▲１▼〜▲４▼に限定されない）。また、録画方法指定部２５に画質モード（高画質モード、標準モード、・・）指定キーを設け画質モードの指定を行うこともできる。
【００４１】
録画方法としてユーザが「全ての再放送番組の録画」を指定すると、端末２はサーバ１から送信された番組データに基いて再放送番組の放送日時が到来すると再放送番組を自動的に選局し、該当するチャンネルのテレビ放送局４からの放送番組を放送番組受信部３１を介して受信し、画像及び音声データを記憶（以下、録画と記す）する。
【００４２】
また、ユーザが「見逃し番組の再放送番組の録画」を指定すると、端末２はサーバ１から送信された再放送番組データに基いて放送日時が到来すると再放送番組を自動的に選局し、該当するチャンネルのテレビ放送局４からの番組（放送番組）を放送番組受信部３１を介して受信し、録画する。
【００４３】
また、「録画予約」を指定するとユーザはキー操作によりＧコードを入力して録画予約を行うことができる。予約した番組のチャンネル及び放送時間は予約メモリ（図示せず）に記憶される。高速録画／再生装置２０は予約メモリを調べ、予約時間が到来した予約番組の放送チャンネルを選局し、受信したテレビ放送番組を録画する。また、「視聴番組の録画」を指定すると、ユーザが視聴した番組を自動的に録画する。
【００４４】
番組記憶制御部２６は録画方法指定部２５で指定された録画方法に基き放送番組受信部３１で受信したテレビ放送番組の録画の可否を判定し、判定結果が「録画」を意味する場合は記憶部２７にそのテレビ放送番組を録画する。
【００４５】
記憶部２７は高速アクセス可能で且つ大容量のハードディスク装置からなり、番組を構成する各画像データ及び音声データを記憶（以下、録画）する番組記憶領域とサムネイル画像を記憶するサムネイル画像記憶領域と、端末２の認証データを記憶した認証データ登録領域を備えている。なお、番組記憶領域には録画方法指定部２５で指定された録画方法により録画された複数の番組（デジタルデータ）が記憶され、サムネイル画像記憶領域には番組記憶領域に記憶された番組中の１画面の縮小データが当該番組と関連付けられて記憶される。なお、サムネイル画像記憶領域に記憶するサムネイル画像は番組中の連続した複数画面の縮小データとしてもよい。また、認証データは端末２の識別番号及びユーザ登録時にサーバ１からの指示によりユーザが登録したユーザＩＤからなる。
【００４６】
画像縮小部２８は記憶部２７に番組が録画されると、その番組の特定画面（例えば、タイトル等が表示される最初のシーン）を抽出して縮小し、記憶部２７の番組記憶領域に記憶されている当該番組に関連付けてサムネイル画像記憶領域に記憶する。
【００４７】
再生／削除指示部２９はキー又はカーソル或いはマウス等のポインティングデバイスを備えており、ユーザは再生／削除指示部２９のキー等を操作して表示部３２に表示される録画済み番組の再生や録画済み番組の消去を行うことができる。
【００４８】
再生部３０は再生／削除指示部２８で録画再生が指示されると、指示された録画番組（デジタルデータ）を記録部２７から読み出して映像信号及び音声信号に復元し、復元された映像信号及び音声信号を表示部３２（テレビ受信装置）に送出する。
【００４９】
なお、本実施の形態では放送番組受信部３１及び表示部３２として家庭用テレビ受信装置の受信部及び表示部が相当する。
【００５０】
放送番組受信部３１は選局されたテレビ放送局４からその時刻に放送されるテレビ番組を受信して番組記憶制御部２６に送る。
【００５１】
表示部３２はテレビ画像表示装置からなり、認証データ入力画面、録画方法指定画面や放送番組表や番組のトップ画面や表題等を縮小したサムネイル画像（複数番組分）、及び番組再生画像を表示する。なお、放送番組表をサムネイル画像や再生画像を表示する表示装置とは別の表示装置としてもよい。
【００５２】
また、上記表示切替部２３、番組指定部２４、録画方法指定部２５、及び再生／削除指示部２９でユーザが指示を行う際に用いるキーは表示切替え部２３、番組指定部２４、録画方法指定部２５、及び再生／削除指示部２９でそれぞれ独立して備えるようにしてもよいが、全部又は一部のキーを互いに共用するようにしてもよい。
【００５３】
（端末側の動作）
図４は個人別番組表サービス時の端末２の動作の一実施例を示すフローチャートである。
ユーザが高速録画／再生装置２０を起動するとサーバ１との接続を確立した後（ステップＳ１）、高速録画／再生装置２０の認証データを記憶部２７から読み出してインターネット３を介してサーバ１に送信する（ステップＳ２）。
【００５４】
サーバ１側での認証が終わるとユーザ用の番組表データ（例えば、前後２週間分）がインターネット３を介して高速録画／再生装置２０に送信される。高速録画／再生装置２０が通信インターフェイス２２６を介して番組表データを受信すると（ステップＳ３）、ＣＰＵ２２２は表示部２２５に番組のチェック、録画方法指定、又は録画再生／削除のいずれかの選択を促すメッセージを表示し、ユーザが入力部２２１のキー（又はマウス）を用いて番組表画面表示操作を行うとステップＳ５に遷移し、録画方法指定画面表示操作を行うとステップＳ１２に遷移し、再生／削除番組選択画面表示操作を行うとステップＳ２０に遷移し、終了操作を行うと端末側の処理を終了する（ステップＳ４）。
【００５５】
上記ステップＳ４で番組表画面表示用のキー操作が行われると、番組表表示制御部２２は受信した番組表データを図１０に示すようなユーザ用の番組表７０に編集して表示部３２に表示する。番組表には日時別・チャンネル別に番組のタイトル等が表示され、ユーザが前回視聴した番組と同一番組や再放送番組が他の番組とは差別可能に色表示される（ステップＳ５）。
【００５６】
高速録画／再生装置２０のユーザは表示部３２に表示された番組表を見て、番組指定部２４で視聴済みの番組をチェック（＝指定）する。ユーザによる視聴済み番組のチェックは該当する番組欄にカーソルキーを移動させて確認キーを操作することにより行うが、該当欄にカーソルを移動させて確認操作を行ったり、チャンネル別・番組別に割り当てられた番組コードをキー入力してチェックを行うようにしてもよい。番組チェックが行われると番組指定部２４はチェックされた番組欄の画面上の位置情報が番組指定部２４に送出される。なお、ユーザが視聴済み番組チェック終了操作を行うか、所定時間経過しても番組チェックを行なわない場合にはステップＳ９に遷移する（ステップＳ６）。
【００５７】
番組指定部２４はキー入力部２２１からチェックされた番組欄の位置情報を受け取ると、受信バッファに記憶されている番組表データから該当する番組の識別情報（番組識別情報）を取り出してデータ送受信部２１に渡し、データ送受信部２１はインターネット３を介してサーバ１に送信すると共に番組の識別情報を保持する（ステップＳ７）。
【００５８】
また、サーバ１から番組の同一性判定結果を受信すると、番組表示制御部２２は、番組表に表示されている各番組のうち、ユーザがチェックした視聴済み番組について、同一の映画番組があった場合はその番組の表示色を「紫」に、同一のドラマがあった場合はその番組の表示色を「赤」に、再放送番組があった場合はその再放送番組の表示色を「緑」に、チェックした単なる視聴済み番組についてもその番組の表示色を「黄色」に変更表示し、次の視聴済み番組をチェックするためにステップＳ６に戻る（ステップＳ８）。
【００５９】
次に、番組表表示制御部２２は表示部３２に見逃した番組のチェックを促すメッセージを表示する。高速録画／再生装置２０のユーザは表示部３２に表示された番組のうち見逃した番組がある場合は見逃した番組をチェックする。チェックの方法はステップＳ６の視聴済み番組のチェック方法と同様である。ステップＳ６の場合と同様に番組チェックが行われるとチェックされた番組欄の画面上の位置情報が番組指定部２４に送出される。なお、ユーザが見逃し番組チェック終了操作を行うか、所定時間経過しても見逃し番組のチェックを行なわない場合にはステップＳ４に戻る（ステップＳ９）。
【００６０】
番組指定部２４はユーザによってチェックされた番組の位置情報を受け取ると、受信バッファに記憶されている番組表データから該当する番組の識別情報（番組識別情報）を取り出してデータ送受信部２１に渡し、データ送受信部２１は番組の識別情報をインターネット３を介してサーバ１に送信すると共に番組の識別情報を保持する（ステップＳ１０）。
【００６１】
また、サーバ１から同一性判定結果を受信すると、番組表示制御部２２は、番組表に表示されている各番組のうち、ユーザがチェックした見逃し番組について、同一の映画番組があった場合はその番組の表示色を「橙」に、同一のドラマがあった場合はその番組の表示色を「青」に、再放送番組があった場合はその再放送番組の表示色を「茶」に、チェックの結果が単なる視聴済み番組の場合はその番組の表示色を「灰色」に変更表示し、次の見逃し番組をチェックするためにステップＳ９に戻る（ステップＳ１１）。
【００６２】
上記ステップＳ４で録画方法指定画面表示用のキー操作が行われると、録画方法指定部２５は録画方法指定メニューとして、「再放送番組全部の録画」、「見逃し番組の再放送番組の録画」、「録画予約」、「視聴番組の録画」を意味するメニューを表示部３２に表示してユーザに録画方法の指定を促し、「再放送番組全部の録画」メニューが選択された場合はステップＳ１３に遷移し、「見逃し番組の再放送番組の録画」が選択された場合はステップＳ１４に遷移し、「録画予約」メニューが選択された場合はステップＳ１５に遷移し、「視聴番組の録画」メニューが選択された場合はステップＳ１８に遷移する。なお、録画方法指定部２５に画質モード指定キーを設けた場合は、ユーザは所望の画質モードを指定できる。この場合、画質モードが指定されない場合は標準画質モードとなる（ステップＳ１２）。
【００６３】
上記ステップＳ１２で「再放送番組全部の録画」メニューが選択された場合は、番組記憶制御部２６は番組表中の番組のうち、現在時刻以降の番組を順次サーチし再放送表示がある番組をヒットする毎にその再放送番組情報（放送日時及びチャンネルデータ）を保持し、ステップＳ１６に遷移する（ステップＳ１３）。
【００６４】
また、上記ステップＳ１２で「見逃し番組の再放送番組全部の録画」メニューが選択された場合は、番組記憶制御部２６は番組表中の番組のうち、現在時刻以降の再放送番組を順次サーチし、再放送表示がある番組をヒットすると、ヒットした再放送番組が番組表中の見逃し番組に対応している場合は、その都度、その再放送番組情報を保持し、ステップＳ１６に遷移する（ステップＳ１４）。
【００６５】
また、上記ステップＳ１２で「録画予約」メニューが選択された場合は番組記憶制御部２６はＧコードの入力を促すメッセージを表示部３２に表示し、Ｇコードが入力されるとそのＧコードを基に予約番組情報（チャンネルデータ及び放送時間）を取得して保持し、ステップＳ１６に遷移する（ステップＳ１５）。
【００６６】
次に、番組記憶制御部２６は上記ステップＳ１３、ステップＳ１４、又はステップＳ１５で保持した放送時間が到来したか否かを調べ（ステップＳ１６）、放送時間が到来すると高速録画／再生装置２０に接続しているテレビ受信装置３５の放送番組受信部３１に上記ステップＳ１３、ステップＳ１４、又はステップＳ１５で保持した番組情報中のチャンネルデータを送って選局を行わせ、放送番組受信部３１は選局したテレビ放送局４からの放送番組を受信し、記憶部２７の番組記憶領域に受信した放送番組（画像データ及び音声データ）を録画し、ステップＳ１９に遷移する。なお、録画方法指定部２５で画質モードが指定された場合は指定された画質モード（録画密度）で録画される（ステップＳ１７）。
【００６７】
また、上記ステップＳ１２で「視聴番組の録画」メニューが選択された場合は、現在視聴している放送番組（画像データ及び音声データ）を記憶部２７に録画する（ステップＳ１８）。
【００６８】
画像縮小部２８は記憶部２７への番組の録画が終了すると、その番組の特定画面（例えば、タイトル等が表示される最初のシーン）を抽出して縮小し、記憶部２７の番組記憶領域に記憶されている当該番組に関連付けて記憶部２７のサムネイル画像記憶領域に記憶し、ステップＳ４に戻る（ステップＳ１９）。
【００６９】
また、上記ステップＳ４で再生／削除番組選択画面表示用のキー操作が行われると、再生／削除指示部２９は「番組再生」及び「録画消去」を意味するメニューを表示部３２に表示していずれかの選択を促し、ユーザが「番組再生」メニューを選択するとステップＳ２２に遷移し、「録画消去」メニューを選択するとステップＳ２１に遷移する（ステップＳ２０）。
【００７０】
上記ステップＳ２０で「録画消去」メニューが選択されると、番組表表示制御部２２は記憶部２７をサーチし、記憶されている番組のチャンネルデータ及び放送時間を順次取り出して、録画されている番組がユーザにわかるように対応する番組を差別表示（例えば、「◆◆」印等のマークを付けて表示）した番組表を表示部３２に表示し、消去番組の指定を促す。ユーザが消去番組をカーソルキー等で指定するとその番組および対応するサムネイル画像を消去する。このステップの動作を消去する番組が無くなるまで繰り返し、終了キー操作が行われるとステップＳ４に戻る（ステップＳ２１）。
【００７１】
上記ステップＳ２０で「番組再生」メニューが選択されると、番組表表示制御部２２は記憶部２７をサーチし、記憶されている番組のチャンネルデータ及び放送時間を順次取り出して、録画されている番組がユーザにわかるように対応する番組を差別表示（例えば、「●●」印等のマークを付けて表示）した番組表を表示部３２に表示し、再生番組の選択又はサムネイル画像の表示指示を促す。ユーザが再生番組表示指示を行うとステップ２４に遷移し、サムネイル画像の表示指示を行うとステップＳ２３に遷移する（ステップＳ２２）。
【００７２】
上記ステップＳ２２でサムネイル画像表示指示が行われると、番組表表示制御部２２は記憶部２７をサーチし、記憶されているサムネイル画像を順次取り出して、表示部３２にマルチ表示し、サムネイル画像の選択又は番組表の表示指示を促す。ユーザがサムネイル画像の選択を行うとステップＳ２４に遷移する。（ステップＳ２３）。
【００７３】
上記ステップＳ２２で再生番組表示指示が行われるか、上記ステップＳ２３でサムネイル画像の選択が行われると、再生部３０は指示された録画番組（デジタルデータ）又は選択されたサムネイル画像に対応する録画番組（デジタルデータ）を記録部２７から読み出して映像信号及び音声信号に復元し、復元された映像信号及び音声信号を表示部３２（テレビ受信装置）に送出する。表示部３２は再生されたテレビ番組を放映する（ステップＳ２４）。
（サーバの個人別番組処理動作）
図５はサーバの個人別番組表処理動作例を示すフローチャートである。
端末２の高速録画／再生装置２０（以下、単に高速録画／再生装置２０）から認証データを受信すると（ステップＴ１）、ＣＰＵ１２はユーザ登録／認証プログラム１３２に基いてデータベース１４に登録されている個人情報データファイル１４３の中の当該ユーザの個人別データに含まれている認証用データ（端末の機番及びユーザＩＤ）と認証データ送信元の高速録画／再生装置２０の認証データ（機番及びユーザＩＤ）とを比較して認証を行う（ステップＴ２）。
【００７４】
認証がなされた場合は、ＣＰＵ１２は個人別番組表更新プログラム１３４に基いて個人別番組表データファイル１４２の中から上記ステップＴ１で認証されたユーザの個人別番組表データを取り出し、更に、前回高速録画／再生装置２０から表示色変更結果等を受信した日から所定期間の新たな番組表データを加えて当該ユーザ用の個人別番組表データを作成し（ステップＴ３）、番組表送信プログラム１３３に基いて認証データ送信元の高速録画／再生装置２０宛て送信する（ステップＴ４）。
【００７５】
また、高速録画／再生装置２０から番組のチェック結果（指定された放送番組情報）を受信するとＣＰＵ１２は番組判定プログラム１３７にしたがって、再放送表示がある番組の有無を判定し、その判定結果をインターネット３を介して番組のチェック結果送信元の高速録画／再生装置２０に送信する。
【００７６】
また、視聴済み番組のチェック結果を受信した場合は、チェックされた番組の種類を調べ、番組が映画の場合は、タイトル及び製作年をキーとして番組表データのうち、当該チェック番組の放送日時以降の日時の番組をサーチして一致・不一致を判定しその判定結果（同一番組判定結果）をインターネット３を介して番組のチェック結果送信元の高速録画／再生装置に送信し、番組がドラマの場合は、タイトル及び放映回数をキーとして番組表データのうち、当該チェック番組の放送日時以降の日時の番組をサーチして一致・不一致を判定し、その判定結果をインターネット３を介して番組のチェック結果送信元の高速録画／再生装置２０に送信し、番組が映画及びドラマ以外の場合はタイトルをキーとして番組表データのうち、当該チェック番組の放送日時以降の日時の番組をサーチして一致・不一致を判定し、その判定結果をインターネット３を介して番組のチェック結果送信元の高速録画／再生装置２０に送信する。なお、番組の一致・不一致の検出方法はこれに限らず、番組毎の個別のＩＤコードを比較するようにしてもよい（ステップＴ５）。
【００７７】
また、個人別番組表更新プログラム１３４に基いて番組の識別データと同一性判定結果及びデータベース１４の番組表データ１４１を基に個人別番組表データを作成し、個人別番組表データファイル１４２の中の当該ユーザの個人別番組表データを更新する（ステップＴ６）。
【００７８】
上記図４のハードディスクレコーダ２０の動作及び図５のサーバ１の動作により、ハードディスクレコーダ２０に表示された番組表を元にユーザがチェックした視聴済み番組及び見逃し番組について、サーバ側で同一番組の判定を行い、ハードディスクレコーダ２０は判定結果に基いてチェックした視聴済み番組及び見逃し番組の表示色変更を行うので、ハードディスクレコーダ２０側は複雑な判定動作を行わず、録画、再生といったハードディスクレコーダの本来の機能に、ネットワーク接続、放送番組表の表示、番組のチェックといった機能を付加するだけでユーザは番組表サービスシステムを利用できる。また、チェックした視聴済み番組及び見逃し番組の表示色変更が行われるので表示される放送番組表の見る際、視聴済みの放送番組や、再放送番組や、見逃した番組をユーザが判別しやすい。
【００７９】
また、図４で、サーバ１から送信される番組表中の再放送番組をハードディスクレコーダ２０で自動的に録画できるので、ユーザは再放送番組を調べて録画予約する手間が省ける。また、不必要な録画済み再放送番組を消去できるので、見たい再放送番組だけを保存することができる。
【００８０】
また、見逃し番組の再放送番組のみを自動的に録画することができるので、この場合はユーザは再放送番組を調べて録画予約する手間が省けると同時に不要な録画済再放送番組の消去指示の手間が省ける。
【００８１】
また、サーバ１で定期的に集計表作成プログラム１３６を動作させて各ユーザの視聴済み番組をチャンネル別、番組別に集計して集計データ１４４として保存したり各番組の視聴率を推計したり、視聴動向のデータを作成することができる。
【００８２】
＜変形例＞
上記図４のフローチャートの構成により高速録画／再生装置２０側でユーザがチェックした視聴済み番組及び見逃し番組について、色変更表示を行うことができるが、ステップＳ８、Ｓ１１の色変更表示に代えて、一覧表作成手段１３５により、図１１に示すように、映画の同一番組、ドラマの同一番組、再放送番組を日時別、チャンネル別（又はチャンネル別、日時別）に編集して一覧表示するようにしてもよい。
【００８３】
＜第２の実施の形態＞
図６は図１のネットワーク１００で個人別番組表サービスを受ける端末２の一実施例を示すブロック図である。
本実施の形態では端末２として非特許文献２に記載のパーソナルコンピュータのように大容量で高速アクセス可能なハードディスクを内蔵し、映像と音声をデジタル信号に変換してハードディスクに記録する機能を有すると共に、ＴＶチューナを介してテレビ放送を受信可能なパーソナルコンピュータ２００を用いる。
【００８４】
図６（ａ）で、パソコン２００は、キー入力部２２１、ＣＰＵ２２２、ＲＡＭ２２３、保存記憶メモリ２２４、表示部２２５、通信インターフェイス（Ｉ／Ｏ）２２６、ＴＶチューナ２２７、映像用アダプタ２２８及びスピーカ等の音声出力装置２２９を備えている。なお、プリンタ（図示せず）を備えるようにしてもよい。
【００８５】
キー入力部２２１はキーボード、ファンクションキー、及びマウス等のポインティングデバイスを備えており、インターネット接続時のアイコン指定、認証データの入力、個人別番組表サービスサイトに表示される番組表における番組の選択・指定、番組一覧の閲覧指定、表示切替え、録画方法の選択、録画された番組の再生／削除の指定等、ユーザによるデータ入力やアイコン選択、及び指示入力等を行うことができる。ユーザによる入力が行われると対応するコードがＣＰＵ２２２に送出される。
【００８６】
ＣＰＵ２２２は端末２全体の動作を制御すると共に、端末２の起動時にＲＡＭ２２３に駐在する制御プログラム２２４０、インターネット接続プログラム２２４１、個人別番組表閲覧プログラム２２４２、自動録画プログラム２２４３及び録画再生／削除プログラム２２４４に従って個人別番組表サービス処理を実行する。
【００８７】
ＲＡＭ２２３はパソコン２００が起動されると制御プログラム２２４０を保存記憶メモリ２２４から取り出して駐在させ、制御プログラム２２４０の制御の下で適時、インターネット接続プログラム２２４１、個人別番組表閲覧プログラ２２４２、自動録画プログラム２２４３、録画再生／削除プログラム２２４４、個人別番組表閲覧プログラム２２４２によって用いられる番組表示色変更サブプログラム２２４５及び画像縮小サブプログラム２２４６と、個人別番組表閲覧のため一時記憶する各種データ等を駐在させる。
【００８８】
なお、番組表示色変更サブプログラム２２４５は受信した個人別番組表中の番組の同一性を判定し、判定結果によりチェック済み番組の表示態様、例えば、表示色を変更する。また、画像縮小サブプログラム２２４６は録画された番組の特定の画像（例えば、番組の最初に現れるタイトルや画像）を縮小してサムネイル画像を生成する。
【００８９】
保存記憶メモリ２２４は高速アクセス可能な磁気ディスク装置の大容量メモリからなり、サムネイル画像や録画番組（デジタルデータ）を複数保存記憶するほか、各種データや制御プログラム２２４０、インターネット接続プログラム（例えば、Ｉｎｔｅｒｎｅｔ　Ｅｘｐｌｏｒｅｒ（米国マイクロソフト社のＷＷＷブラウザ））２２４１等のプログラム及び個人別番組表サービス加入時にサーバ１からダウンロードされた個人別番組表閲覧プログラム２２４２、自動録画プログラム２２４３、録画再生／削除プログラム２２４４と共にサーバ１からダウンロードされた番組表示色変更サブプログラム２２４５、画像縮小サブプログラム２２４６および個人別番組表ＨＴＭＬファイルを記憶している。また、番組表データ記憶領域２２５０、サムネイル画像を記憶するサムネイル画像記憶領域２２６０及び録画番組を記憶する録画番組記憶領域２２７０が確保されている。
【００９０】
なお、サムネイル画像記憶領域２２６０及び録画番組記憶領域２２７０を高速アクセス可能な磁気ディスク装置の大容量メモリに記憶し、各種データやプログラム等を別の磁気ディスク装置のメモリに記憶するように構成してもよい。
【００９１】
ＴＶチューナ２２７は選局部及び放送受信部を備え、ＣＵＰ２２２からチャンネルデータを受け取るとテレビ放送局の選局を行い、選局したテレビ放送番組の受信を行い、受信した映像信号及び音声信号を映像用アダプタ２２８に渡す。
【００９２】
映像用アダプタ２２８は放送番組データ（映像信号及び音声信号）をデジタルデータに変換しＣＰＵ２２２の制御下で保存記憶メモリ２２４に転送する。
【００９３】
図７は個人別番組表サービス時の端末（パソコン２００）の動作の一実施例を示すフローチャートである。以下、図７のステップＵ１〜Ｕ１０の動作は個人別番組表閲覧プログラム２２４２に従ってパソコン２００のＣＵＰ２２２が実行制御する動作であり、ステップＵ１１〜Ｕ１８の動作は自動録画プログラム２２４３に従ってＣＵＰ２２２が実行制御する動作であり、ステップＵ１９〜Ｕ２３の動作は録画再生／削除プログラム２２４４に従ってＣＵＰ２２２が実行制御する動作である。
【００９４】
（端末の動作）
ユーザがパソコン２００にインストールされているインターネット接続プログラム２２４１を起動し、通信インターフェイス２２６を介してインターネット３との接続を確立し、本発明を適用した個人別番組表サービスの番組表サービス事業者のサーバ１と接続すると（ステップＵ１）、個人別番組表閲覧プログラム２２４２が起動され、パソコン２の表示部２２５に認証データとしてユーザＩＤの入力を促すメッセージ等（図示略）が表示される。ユーザが認証データ（本実施の形態ではユーザＩＤ）をキー入力部２２１から入力するとＣＰＵ２２２は入力された認証データを通信インターフェイス２２６及びインターネット３を介してサーバ１宛て送信する（ステップＵ２）。
【００９５】
サーバ１側での認証が終わるとユーザ用の番組表データ（例えば、前後２週間分）がインターネット３を介してパソコン２００に送信され、パソコン２００は番組表データを受信してＲＡＭ２２３に保持（一時記憶）記憶する（ステップＵ３）。
【００９６】
次に、パソコン２００は表示部２２５に番組のチェック、録画方法指定、又は録画再生／削除のいずれかの選択を促すメッセージを表示し、ユーザが番組表画面表示操作を行うとステップＵ５に遷移し、録画方法指定画面表示操作を行うとステップＵ１１に遷移し、再生／削除番組選択画面表示操作を行うとステップＵ１９に遷移し、終了操作を行うと端末側の処理を終了する（ステップＵ４）。
【００９７】
上記ステップＵ４で番組チェックが選択されると、ＣＰＵ２２２は図１０に示すようなユーザ用に編集された番組表（日時別・チャンネル別番組表）Ｗｅｂページを表示部２２５に表示する。番組表Ｗｅｂページには日時別・チャンネル別に番組のタイトル等が表示され、ユーザが前回視聴した番組と同一番組や再放送番組が他の番組とは差別可能に色表示されている（ステップＵ５）。
【００９８】
ＣＰＵ２２２は表示部２２５に視聴済み番組のチェックを促すメッセージを表示し、パソコン２００のユーザは表示部２２５に表示された番組表Ｗｅｂページを見て、視聴済みの番組をチェックする。ユーザによる視聴済み番組のチェックは該当する番組欄をマウスでクリックすることにより行うが、該当欄にカーソルを移動させて確認操作を行ったり、チャンネル別・番組別に割り当てられた番組コードをキー入力してチェックを行うようにしてもよい。番組チェックが行われるとチェックされた番組欄の画面上の位置情報がキー入力部２２１からＣＰＵ２２２に送出される。なお、ユーザが視聴済み番組チェック終了操作を行うか、所定時間経過しても番組チェックを行なわない場合にはステップＵ８に遷移する（ステップＵ６）。
【００９９】
ＣＰＵ２２２はキー入力部２２１からチェックされた番組欄の位置情報を受け取ると、個人別番組表閲覧プログラム２２４２に基いてＲＡＭ２２３に記憶されている番組表データ記憶領域２２５０から該当する番組表データを取り出し、番組表示色変更サブプログラム２２４５（図９）のステップＷ１に遷移し、番組の同一性の判定及び番組の表示色変更処理を行うようにする。また、番組表示色変更サブプログラムから帰還すると番組表Ｗｅｂページに表示されている各番組のうち、ユーザがチェックした視聴済み番組について、同一の映画番組（例えば、連続番組）があった場合はその番組の表示色が「紫」に、同一のドラマ（例えば、連続ドラマ）があった場合はその番組の表示色が「赤」に、再放送番組があった場合はその再放送番組の表示色が「緑」に、チェックした単なる視聴済み番組についてもその番組の表示色が「黄色」に変更されて表示される。更に、色変更があった番組の識別データと色変更結果をチェックのあった番組別にＲＡＭ２２３に保持（一時記憶）し、次の視聴済み番組をチェックするためにステップＵ６に戻る（ステップＵ７）。
【０１００】
次に、ＣＰＵ２２２は表示部２２５に見逃した番組のチェックを促すメッセージを表示し、パソコン２００のユーザは番組表Ｗｅｂページに表示されている番組のうち見逃した番組がある場合は見逃した番組をチェックする。チェックの方法はステップＵ６の視聴済み番組のチェック方法と同様である。ステップＵ６の場合と同様に番組チェックが行われるとチェックされた番組欄の画面上の位置情報がキー入力部２２１からＣＰＵ２２２に送出される。なお、ユーザが見逃し番組チェック終了操作を行うか、所定時間経過しても見逃し番組のチェックを行なわない場合にはステップＵ１０に遷移する（ステップＵ８）。
【０１０１】
ＣＰＵ２２２はキー入力部２２１からチェックされた番組の位置情報を受け取ると、個人別番組表閲覧プログラム２２４２に基いてＲＡＭ２２３に記憶されている番組表データ記憶領域２２５０から該当する番組表データを取り出し、番組表示色変更サブプログラム（図９）のステップＷ１に遷移し、番組の同一性の判定及び番組欄の表示色変更処理を行うようにする。また、番組表示色変更サブプログラムから帰還すると、番組表ページに表示されている各番組のうち、ユーザがチェックした見逃し番組について、同一の映画番組（例えば、連続番組）があった場合はその番組の表示色が「橙」に、同一のドラマ（例えば、連続ドラマ）があった場合はその番組の表示色が「青」に、再放送番組があった場合はその再放送番組の表示色が「茶」に、チェックした単なる視聴済み番組についてもその番組の表示色が「灰色」に変更されて表示される。更に、表示色変更があった番組の識別データと色変更結果をチェックのあった番組別にＲＡＭ２２３に保持（一時記憶）し、次の視聴済み番組をチェックするためにステップＵ８に戻る（ステップＵ９）。
【０１０２】
次に、ＣＰＵ２２２は上記ステップＵ８、Ｗ７でＲＡＭ２２３に保持した表示色変更があった番組情報（識別データと表示色変更結果）を通信インターフェイス２２６及びインターネット３を介してサーバ１に送信し、ステップＵ４に戻る（ステップＵ１０）。
【０１０３】
上記ステップＵ４で録画方法指定画面表示操作が行われると、自動録画プログラム２２４３が起動され、ＣＰＵ２２２は録画方法指定メニューとして、「再放送番組全部の録画」、「見逃し番組の再放送番組の録画」、「録画予約」、「視聴番組の録画」を意味するメニューを表示部２２５に表示してユーザの選択を促し、「再放送番組全部の録画」メニューが選択された場合はステップＵ１２に遷移し、「見逃し番組の再放送番組の録画」が選択された場合はステップＵ１３に遷移し、「録画予約」メニューが選択された場合はステップＵ１４に遷移し、「視聴番組の録画」メニューが選択された場合はステップＵ１７に遷移する（ステップＵ１１）。
【０１０４】
上記ステップＵ１１で「再放送番組全部の録画」メニューが選択された場合は、ＣＰＵ２２２は番組表中の番組のうち、現在時刻以降の番組を順次サーチし再放送表示がある番組をヒットする毎にその再放送番組情報（放送日時及びチャンネルデータ）を保持し、ステップＵ１５に遷移する（ステップＵ１２）。
【０１０５】
また、上記ステップＵ１１で「見逃し番組の再放送番組全部の録画」メニューが選択された場合は、ＣＰＵ２２２は番組表中の番組のうち、現在時刻以降の再放送番組を順次サーチし、再放送表示がある番組をヒットすると、ヒットした再放送番組が番組表中の見逃し番組に対応している場合は、その都度、その再放送番組情報を保持し、ステップＵ１５に遷移する（ステップＵ１３）。
【０１０６】
また、上記ステップＵ１１で「録画予約」メニューが選択された場合はＣＰＵ２２２はＧコードの入力を促すメッセージを表示部２２２５に表示し、Ｇコードが入力されるとそのＧコードを基に予約番組情報（チャンネルデータ及び放送時間）を取得して保持し、ステップＵ１５に遷移する（ステップＵ１４）。
【０１０７】
次に、ＣＰＵ２２２は上記ステップＵ１２、ステップＵ１３、又はステップＵ１４で保持した放送時間が到来したか否かを調べ（ステップＵ１５）、放送時間が到来するとＴＶチューナ２２７に上記ステップＵ１３、ステップＵ１４、又はステップＵ１５で保持した番組情報中のチャンネルデータを渡して選局を行わせる。ＴＶチューナ２２７は選局したテレビ放送局４からの放送番組を受信して映像用アダプタ２２８に渡す。ＣＰＵ２２２は映像用アダプタ２２８で放送番組（映像信号及び音声信号）をデジタルデータに変換し保存記憶メモリ２２４の録画番組記憶領域２２７０に録画（記憶）し、ステップＵ１８に遷移する。なお、この際、番組表データ記憶領域２２５０に記憶されている番組データと録画番組の先頭アドレスが関係付けられる（ステップＵ１６）。
【０１０８】
また、上記ステップＵ１１で「視聴番組の録画」メニューが選択された場合は、現在視聴している放送番組（映像データ及び音声データ）をデジタルデータに変換して保存記憶メモリ２２４の録画番組記憶領域２２７０に録画し、ステップＵ１８に遷移する。なお、この際、番組表データ記憶領域２２５０に記憶されている番組データと当該録画番組の先頭アドレスが関係付けられる（ステップＵ１７）。
【０１０９】
番組の録画が終了すると、画像縮小サブプログラム２２４６が起動され、ＣＰＵ２２２は録画された番組の特定画面（例えば、タイトル等が表示される最初のシーン）を抽出して縮小し、保存記憶メモリ２２４の番組記憶領域２２７０に記憶されている当該番組に関連付けて保存記憶メモリ２２４のサムネイル画像記憶領域２２６０に記憶し、ステップＵ４に戻る。なお、この際、番組表データ記憶領域２４５０に記憶されている番組データと記憶されたサムネイル画像の先頭アドレスが関係付けられる（ステップＵ１８）。
【０１１０】
また、上記ステップＵ４で再生／削除番組選択画面表示用のキー操作が行われると、録画再生／削除プログラム２２４４が起動され、ＣＰＵ２２２は「番組再生」及び「録画消去」を意味するメニューを表示部２２５に表示していずれかの選択を促し、ユーザが「番組再生」メニューを選択するとステップＵ２１に遷移し、「録画消去」メニューを選択するとステップＵ２０に遷移する（ステップＵ１９）。
【０１１１】
上記ステップＵ１９で「録画消去」メニューが選択されると、ＣＰＵ２２２は保存記憶メモリ２２４の番組表データ記憶領域２２５０をサーチし、録画番組のチャンネルデータ及び放送時間を順次取り出して、録画番組がユーザにわかるように対応する番組欄を差別表示（例えば、「◆◆」印等のマークを付けて表示）した番組表を表示部２２５に表示し、消去番組の指定を促す。ユーザが消去番組をカーソルキー等で指定するとその番組および対応するサムネイル画像を消去する。このステップの動作を消去する番組が無くなるまで繰り返し、終了操作が行われるとステップＵ４に戻る（ステップＵ２０）。
【０１１２】
上記ステップＵ１９で「番組再生」メニューが選択されると、ＣＰＵ２２２は保存記憶メモリ２２４の番組表データ記憶領域２２５０をサーチし、記憶されている番組表データから録画番組のチャンネルデータ及び放送時間を順次取り出して、録画番組がユーザにわかるように対応する番組欄を差別表示（例えば、「●●」印等のマークを付けて表示）した番組表を表示部２２５に表示し、再生番組の選択又はサムネイル画像の表示指示を促す。ユーザが再生番組表示指示を行うとステップ２４に遷移し、サムネイル画像の表示指示を行うとステップＵ２２に遷移する（ステップＵ２１）。
【０１１３】
上記ステップＵ２１でサムネイル画像表示指示が行われると、ＣＰＵ２２２は保存記憶メモリ２２４のサムネイル画像記憶領域２２６０をサーチし、記憶されているサムネイル画像を順次取り出して、表示部２２５にマルチ表示し、サムネイル画像の選択又は番組表の表示指示を促す。ユーザがサムネイル画像の選択を行うとステップＵ２４に遷移し、番組表の表示指示を行うとステップ２２に戻る（ステップＵ２２）。
【０１１４】
上記ステップＵ２２で再生番組表示指示が行われるか、上記ステップＵ２３でサムネイル画像の選択が行われると、ＣＰＵ２２２は指示された録画番組又は選択されたサムネイル画像に対応する録画番組を保存記憶メモリ２２４の録画番組記憶領域２２７０から読み出して映像信号及び音声信号に復元し、復元された映像信号を表示部２２５に、音声信号を音声出力装置２２９に送出する。表示部２２５は再生されたテレビ番組を表示部２２５の画面上で放映し、音声出力装置２２９は再生された音声を出力する（ステップＵ２３）。
【０１１５】
（サーバの個人別番組処理動作（図８））
図８はサーバの個人別番組表処理動作例を示すフローチャートである。
図８で、サーバ１がパソコン２００から認証データを受信すると（ステップＶ１）、ＣＰＵ１２はユーザ登録／認証プログラム１３２に基いてデータベース１４に登録されている個人情報データファイル１４３の中の当該ユーザの個人別データに含まれている認証データと受信した認証データを基に認証を行う（ステップＶ２）。
【０１１６】
認証がなされた場合は、ＣＰＵ１２は個人別番組表更新プログラム１３４に基いて個人別番組表データファイル１４２の中から上記ステップＶ２で認証されたユーザの個人別番組表データを取り出し、更に、前回パソコン２００から表示色変更結果結果等を受信した日から所定期間の新たな番組表データを加えて当該ユーザ用の個人別番組表データを作成し（ステップＶ３）、番組表送信プログラム１３３に基いて認証データ送信元のパソコン２００宛て送信する（ステップＶ４）。
【０１１７】
また、パソコン２００から表示色変更があった番組の識別データと表示色変更結果を受信すると（ステップＶ５）、ＣＰＵ１２は個人別番組表更新プログラム１３４に基いて番組の識別データと表示色変更結果及びデータベース１４の番組表データ１４１を基に個人別番組データを作成し、個人別番組表データファイル１４２の中の当該ユーザの個人別番組表データを更新し、ステップＶ１に戻る（ステップＶ６）。
【０１１８】
上記図７のフローチャートに示したパソコン２００の動作及び図８のフローチャートに示したサーバ１の動作により、サーバ１から前回のチェック結果を含む新たな番組表がパソコン２００に送信され、パソコン２００側で、表示部２２５に表示された番組表を元にユーザがチェックした視聴済み番組及び見逃し番組について、同一番組の判定と同一番組の色変更表示、見逃し番組の判定と色変更表示を行い、チェックした視聴済み番組及び見逃し番組とそれらの色変更結果をサーバ側に送信するので、見終わった放送番組や、再放送番組や、見逃した番組をユーザが判別しやすい。
【０１１９】
また、前述した第１の実施の形態と比べると、端末とサーバ間のデータの送受信動作が２回で済み、且つ１回に送受信するデータ量も多くはないので短時間で済み、通信時間及び通信経費の節約に資する。
【０１２０】
また、個人別番組表サービス加入時にサーバから端末にダウンロードされる個人別番組表閲覧プログラム２２４２により図９の番組表示色変更サブプログラムに分岐し個々の端末で同一番組の判定と同一番組の色変更表示、見逃し番組の判定と色変更表示を行うので、前述した第１の実施の形態と比べサーバ側の負荷が少なくなる。つまり、各端末で独立的に処理を行うことにより個人別番組表サービスへの加入ユーザが増してもサーバ側の負荷は比例的に増大することはない。
【０１２１】
また、第１の実施の形態と同様にサーバ１で定期的に集計表作成プログラム１３６を動作させて各ユーザの視聴済み番組をチャンネル別、番組別に集計して集計データ１４４として保存したり各番組の視聴率を推計したり、視聴動向のデータを作成することができる。
【０１２２】
また、ユーザ端末としてパーソナルコンピュータを用いるようにしたことにより、パーソナルコンピュータのアプリケーションおける柔軟性を利用して録画した放送番組に様々な加工や編集、例えば、録画編集ソフトや録画整理ソフト等のアプリケーションソフトをインストールして放送番組の編集を行ったりジャンルやシリーズ毎の整理等、を行うことができる。
【０１２３】
（番組表示色変更サブプログラムの動作（図９））
図９は番組表示色変更プログラムの動作を示すフローチャートであり、図７のフローチャートのステップＵ７及びステップＵ９の詳細動作を示すフローチャートである。なお、サーバ側で番組表示色変更処理等を行う場合は図８のフローチャートのステップＶ６から遷移し、ステップＶ６に帰還してから、端末に処理結果を送信するようにすればよい。
【０１２４】
以下、図９では、説明上、背景色を「白」、番組表示色を「スカイブルー」、ユーザによってチェックされた視聴済み番組のうち映画の同一番組の表示色を「紫」、ドラマの同一番組の表示色を「赤」、再放送番組の表示色を「緑」、それ以外の視聴済み番組の表示色を黄色とするがこれらに限定されない。
【０１２５】
また、図９の説明での変更色は、図７のステップＵ６からの遷移があった場合、つまり、ユーザが視聴済み番組をチェックした場合を例として説明するが、図７のステップＵ８からの遷移があった場合、つまり、ユーザによってチェックされた見逃し番組についても図９のステップＷ１〜Ｗ８の処理を行うが、見逃し番組の変更表示色は視聴済み番組の表示色（「紫」、「赤」、「緑」、「黄」）とは異なる色、例えば、ユーザによってチェックされた見逃し番組のうち映画の同一番組の表示色を「橙」、ドラマの同一番組の表示色を「青」、再放送番組の表示色を「茶」、それ以外の視聴済み番組の表示色を「灰色」にするものとする。
【０１２６】
（動作）
図９で、図７のステップＵ７（又はステップＵ９）からの遷移があると、図７のステップＵ７（又はステップＵ９）でチェックした番組の種類を調べ、映画番組の場合はステップＷ２に遷移して同一性を判定し、ドラマ番組の場合はステップＷ４に遷移して同一性を判定し、その他の番組の場合はステップＷ６に遷移して再放送番組か否かを判定する（ステップＷ１）。
【０１２７】
ユーザがチェックした番組が映画の場合は、タイトル及び製作年をキーとして番組データのうち、当該チェック番組の放送日時以降の日時の番組をサーチし（ステップＷ２）、一致した番組がある場合はその番組の表示色を「紫」に変更して遷移のあった元のステップ（図７のステップＵ７（又はステップＵ９））に帰還する。また、一致した番組がなかった場合はステップＷ８に遷移する（ステップＷ３）。
【０１２８】
ユーザがチェックした視聴済み番組がドラマの場合は、タイトル及び放映回数をキーとして番組データのうち、当該チェック番組の放送日時以降の日時の番組をサーチし（ステップＷ４）、一致した番組がある場合はその番組の表示色を「赤」に変更して遷移のあった元のステップ（図７のステップＵ７（又はステップＵ９）に帰還する。また、一致した番組がなかった場合はステップＷ８に遷移する（ステップＷ５）。
【０１２９】
ユーザがチェックした番組が映画及びドラマ以外の場合は、タイトルをキーとして番組データのうち、当該チェック番組の放送日時以降の日時の番組をサーチし（ステップＷ６）、再放送表示がある番組の表示色を「緑」に変更して遷移のあった元のステップ（図７のステップＵ７（又はステップＵ９））に帰還する。また、一致した番組がなかった場合はステップＷ８に遷移する（ステップＷ７）。
【０１３０】
また、ユーザがチェックした視聴済み番組が同一番組でも再放送番組でもない場合はチェックした番組の表示色を「黄」に変更し、遷移のあった元のステップ（図７のステップＵ７又はステップＵ９）に帰還する（ステップＷ８）。
【０１３１】
＜変形例＞
上記図７のフローチャートの構成により端末側（パソコン２００）でユーザがチェックした視聴済み番組及び見逃し番組について、色変更表示を行うことができるが、ステップＵ７、ステップＵ９で番組表示色変更サブプログラム２２４５を実行して行う色変更表示に代えて、ステップＵ７、ステップＵ９で一覧表作成手段１３５を実行して図１１に示すように、映画の同一番組、ドラマの同一番組、再放送番組を日時別、チャンネル別（又はチャンネル別、日時別）に編集して一覧表示するようにしてもよい。
【０１３２】
また、第２の実施の形態ではパソコン２００側でユーザがチェックした視聴済み番組及び見逃し番組について、番組表示色変更サブプログラム２２４５を実行して行う表示色変更を行うようにしたが、第１の実施の形態で図５に示したようにサーバ１側でユーザがチェックした視聴済み番組及び見逃し番組について、表示色変更を行うように構成し、パソコン２００側ではステップＵ７で視聴済み番組、同一名番組の表示色変更を行い、ステップＵ９で見逃し番組、同一名番組、再放送番組等の表示色変更を行うようにしてもよい。この場合は、ステップＵ６とステップＵ７の間にチェックされた視聴済番組情報をサーバ１に送信するステップを設ける。つまり、第１の実施の形態で示した図４のフローチャートと同様のチャートとなり、効果も第１の実施の形態と同様となる。
【０１３３】
図１０は表示された番組表７０による番組指定の説明図であり、図中「Ａ７」・・・「Ａ１０」、「Ｂ６」・・・「Ｂ９」、「Ｃ４」・・・「Ｃ７」は番組名や製作年、放映回数、再放送表示、番組識別コード等からなる番組表示を意味する。なお、「Ｂ７−４」は番組「Ｂ７」がドラマであり、放映回数が４回目であることを示す。また、番組表画面８０はスクロールボタン↑↓をクリックして上下にスクロールさせ放映日時等を変えて見ることができる。また、スクロールボタン→←をクリックすることにより左右にスクロールさせてチャンネルを変えて見ることができる。
【０１３４】
図示の例は７月１１日のチャンネル１の番組「Ａ７」、チャンネル２の番組「Ｂ７−４」、チャンネル３の番組「Ｃ６」が視聴済み番組としてチェックされ、番組「Ａ７」は映画番組として番組表示色が「紫」に、番組「Ｂ７−４」はドラマとして番組表示色が「赤」に、番組「Ｃ６」はその他の番組として番組表示色が「黄」に変更されていることを示す。
【０１３５】
図１１は再放送一覧リストの一実施例を示す図であり、チャンネル別、放映日時別に再放送番組を一覧表示した例を示す。また、一覧表画面８０はスクロールボタン↑↓をクリックして上下にスクロールさせ放映日時等を変えて見ることができる。また、スクロールボタン→←をクリックすることにより左右にスクロールさせてチャンネルを変えて見ることができる。
【０１３６】
なお、上記各実施例の説明では放送番組表中の番組欄の色表示変更を番組の表示態様の変更例としたが、番組の表示態様の変更は色表示変更に限定されない。例えば、表示濃度変更、反転表示、字体変更、マーキング、塗りつぶし等によって番組を他の番組と直ちに差別可能とすることができる。
【０１３７】
また、上記各実施例の説明では録画された番組を弁別できるように放送番組表中の番組欄マークを表示するようにしたが、録画済番組の表示方法はこれに限定されない。例えば、表示濃度変更、反転表示、字体変更、マーキング、塗りつぶし等によってもよい。
【０１３８】
以上、本発明のいくつかの実施例について説明したが本発明は上記各実施例に限定されるものではなく、種々の変形実施が可能であることはいうまでもない。
【０１３９】
【発明の効果】
上記説明したように、第１の発明のユーザ端末によれば、番組表サービスシステムにおいてサーバから番組表がユーザ端末側に送信された放送番組表を見てユーザが指定した視聴済み番組及び見逃し番組について、サーバ側で同一番組の判定を行い、判定結果に基いて視聴済み番組及び見逃し番組の再放送番組について番組の種類に応じて表示態様の変更を行うので放送番組表の中の番組をユーザが判別しやすい。また、視聴済み番組とした指定した番組と同一番組や見逃し番組の再放送番組を自動録画できるので、それらの放送番組を見つけて録画予約する手間が省ける。
【０１４０】
また、第２の発明のユーザ端末によれば、番組表サービスシステムにおいて、サーバからユーザ端末側に送信された放送番組表を見てユーザが指定した視聴済み番組及び見逃し番組について同一番組の判定を行い、判定結果に基いて視聴済み番組及び見逃し番組の再放送番組について番組の種類に応じて表示態様の変更を行なって、表示態様の変更を行った番組情報とそれらの表示態様変更結果をサーバ側に送信するので、第１の発明と同様に放送番組表の中の番組をユーザが判別しやすい。更に、端末とサーバ間のデータの送受信動作が２回で済み、且つ１回に送受信するデータ量も多くはないので短時間で済み、通信時間及び通信経費の節約に資する。また、サーバ側の負荷が少なくなる。つまり、各端末で独立的に処理を行うことにより個人別番組表サービスへの加入ユーザが増してもサーバ側の負荷は比例的に増大することはない。また、視聴済み番組とした指定した番組と同一番組や見逃し番組の再放送番組を自動録画できるので、それらの放送番組を見つけて録画予約する手間が省ける。
【０１４１】
また、第３の発明のユーザ端末によれば、番組表サービスシステムにおいて、番組表を見て見逃し番組を指定して見逃し番組の再放送番組の存否を確認して再放送番組の録画指定をしておけば、自動的に見逃し番組の再放送番組が録画されるので、ユーザは再放送番組を見つけて録画予約する手間が省ける。また、自動録画された放送番組の中から不要な番組を消去する手間が少なくなる。
【０１４２】
また、第４の発明のユーザ端末によれば、自動録画され放送番組のうち不必要な録画済み再放送番組を消去できるので、見たい再放送番組だけを保存することができる。
【０１４３】
また、第５の発明によれば、ユーザ端末として高速録画／再生機能及び大容量メモリを備えたハードディスクレコーダを用い、ハードディスクレコーダに表示された放送番組表を元にユーザがチェックした視聴済み番組及び見逃し番組について、サーバ側で同一番組の判定を行い、ハードディスクレコーダは判定結果に基いてチェックした視聴済み番組及び見逃し番組の表示色変更を行うので、ハードディスクレコーダ側は複雑な判定動作を要せず、録画、再生といったハードディスクレコーダの本来の機能に、ネットワーク接続、放送番組表の表示、番組のチェックといった機能を付加するだけでユーザは番組表サービスシステムを利用できる。また、チェックした視聴済み番組及び見逃し番組の表示色変更が行われるので表示される放送番組表を見る際、視聴済みの放送番組や、再放送番組や、見逃した番組をユーザが判別しやすい。
【０１４４】
また、第６の発明によれば、ユーザ端末として高速アクセス可能な大容量メモリと放送受信手段を備えたパーソナルコンピュータを用いるので、パーソナルコンピュータのアプリケーションにおける柔軟性を利用して録画した放送番組に様々な加工や編集等を行うことができ、録画放送番組の利用分野の拡大が期待できる。
【０１４５】
また、ネットワーク端末として広く用いられているパソコンを番組表サービスシステムのユーザ端末とするので、インターネット接続や放送番組表の閲覧に既存のプログラムを用いることもできる。
【０１４６】
また、第７の発明の放送番組自動録画プログラムによれば、サーバから受信した番組表を元にユーザが指定した視聴済み番組及び見逃し番組について、サーバ側で行われる判定結果に基いてチェックした視聴済み番組及び見逃し番組の表示態様の変更を端末側で行うので番組の同一性の判定を端末側で行わなくてもよく、端末側の処理が簡単になる。また、再放送番組を自動録画できるので、再放送番組を見つけて録画予約する手間が省ける。
【０１４７】
また、第８の発明の放送番組自動録画プログラムによれば、見逃し番組の再放送番組の判定も端末側で行うので、端末とサーバ間のデータの送受信動作が２回で済み、且つ１回に送受信するデータ量も多くはないので短時間で済み、通信時間及び通信経費の節約に資する。また、再放送番組を自動録画できるので、再放送番組を見つけて録画予約する手間が省ける。
【０１４８】
また、第９の発明の録画方法によれば、放送番組表のなかでユーザが指定した見逃し番組の表示態様が他の番組とは異なって表示されるので、番組中で見逃し番組を見つけやすい。録画指示を行うだけで再放送番組が自動的に録画されるので再放送番組を見つけて録画予約する手間が省ける。
【図面の簡単な説明】
【図１】本発明の個人別番組表サービスシステムを適用可能なネットワーク構成の一実施例を示す図である。
【図２】個人別番組表サービスサーバの構成例を示すブロック図である。
【図３】個人別番組表サービスを受ける端末の構成例を示すブロック図である。
【図４】個人別番組表サービス時の端末の動作の一実施例を示すフローチャートである。
【図５】個人別番組表処理動作例を示すフローチャートである。
【図６】個人別番組表サービスを受ける端末の一実施例を示すブロック図である。
【図７】個人別番組表サービス時の端末の動作の一実施例を示すフローチャートである。
【図８】個人別番組表処理動作例を示すフローチャートである。
【図９】番組表示色変更サブプログラムの動作例を示すフローチャートである。
【図１０】表示された番組表による番組指定の説明図である。
【図１１】再放送一覧リストの一実施例を示す図である。
【符号の説明】
１　サーバ
２　ユーザ端末（端末）
３　インターネット（ネットワーク）
２０　高速録画／再生装置
２１　データ送受信部（番組指定結果送信手段）
２２　番組表示制御部（表示態様変更手段）
２３　表示切替部
２４　番組指定部（番組指定手段）
２５　録画方法指定部（録画方法指定手段）
２６　番組記憶制御部（再放送番組情報取得手段、番組記憶手段）
２７　記憶部（メモリ）
３１　放送番組受信部（受信手段）
３２　表示部
１００　番組表サービスシステム
１３２　ユーザ登録／認証プログラム（ユーザ認証手段）
１３３　番組表送信プログラム（番組表データ送信手段）
１３４　個人別番組表更新プログラム（個人別番組表データ更新手段）
１３５　一覧表作成作成プログラム（一覧表表示手段）
１３６　集計表作成プログラム（集計及び分析処理する手段）
１３７　番組判定プログラム（番組判定手段、判定結果送信手段）
２００　パーソナルコンピュータ
２２１　キー入力部（番組指定手段）
２２４　保存記憶メモリ（メモリ）
２２５　表示部（番組表表示手段）
２２６　通信インターフェイス（番組指定結果送信手段、番組情報送信手段）
２２７　ＴＶチューナ（放送受信手段）
３００　テレビ放送受信装置（放送番組受信手段）
２２４２　個人別番組表閲覧プログラム（番組表表示手段、番組指定手段、再放送番組情報取得手段、番組情報送信手段、表示態様変更手段）
２２４３　自動録画プログラム（番組記憶手段）
２２４５　番組表示色変更サブプログラム（表示態様変更手段）
【図１】
2004128621.tif 000003
【図２】
2004128621.tif 000004
【図３】
2004128621.tif 000005
【図４】
2004128621.tif 000006
【図５】
2004128621.tif 000007
【図６】
2004128621.tif 000008
【図７】
2004128621.tif 000009
【図８】
2004128621.tif 000010
【図９】
2004128621.tif 000011
【図１０】
2004128621.tif 000012
【図１１】
2004128621.tif 000013